(57)【要約】    【課題】  枠側ジョイント部を確実に固定でき、コネクタの接触不良、枠側ジョイント部の取り付け部分の損傷等を防止できるようにする。    【解決手段】  遊技盤６に盤側コネクタ７２ａ〜７２ｄを有する盤側ジョイント部７３を、遊技盤６が着脱自在に装着される遊技盤装着枠３０を有する前枠３に、枠側コネクタ７４ａ〜７４ｄを有する枠側ジョイント部７５を夫々備え、遊技盤６を遊技盤装着枠３０に着脱するときに盤側コネクタ７２ａ〜７２ｄと枠側コネクタ７４ａ〜７４ｄとが電気的に着脱する。前枠３には枠側ジョイント部７５を補強する補強部材４９を設ける。【選択図】図４
2010284263.tif 000002
【特許請求の範囲】
【請求項１】
遊技盤（６）に盤側コネクタ（７２ａ〜７２ｄ）を有する盤側ジョイント部（７３）を、該遊技盤（６）が着脱自在に装着される遊技盤装着枠（３０）を有する前枠（３）に、枠側コネクタ（７４ａ〜７４ｄ）を有する枠側ジョイント部（７５）を夫々備え、前記遊技盤（６）を前記遊技盤装着枠（３０）に着脱するときに前記盤側コネクタ（７２ａ〜７２ｄ）と前記枠側コネクタ（７４ａ〜７４ｄ）とが電気的に着脱するようにした弾球遊技機において、前記枠側ジョイント部（７５）を補強する補強部材（４９）を前記前枠（３）に設けたことを特徴とする弾球遊技機。
【請求項２】
前記遊技盤（６）は前記遊技盤装着枠（３０）に前側から着脱自在であり、前記枠側ジョイント部（７５）は前記遊技盤装着枠（３０）の左右方向の一方側の隅部に前向きに配置し、前記補強部材（４９）は前記枠側ジョイント部（７５）の近傍で前記遊技盤装着枠（３０）に固定された取り付け基部（１２５，１２９）と、該取り付け基部（１２５，１２９）の後部から前記枠側ジョイント部（７５）の裏側に屈曲する補強部（１２８）とを一体に備え、前記補強部（１２８）の前面に前記枠側ジョイント部（７５）を設けたことを特徴とする請求項１に記載の弾球遊技機。
【請求項３】
前記前枠（３）は前記遊技盤装着枠（３０）の後側に、前記遊技盤（６）の裏面に装着された構成部材（３１）を取り囲む周壁部（５３）を備え、該周壁部（５３）の後部に前記枠側ジョイント部（７５）を備えたことを特徴とする請求項２に記載の弾球遊技機。
【請求項４】
前記前枠（３）は前記周壁部（５３）の二辺の内側隅に、前記枠側ジョイント部（７５）の取り付け台（９８）を一体に形成し、該取り付け台（９８）と前記補強部（１２８）とを前後に結合したことを特徴とする請求項３に記載の弾球遊技機。
【請求項５】
前記補強部材（４９）は前記遊技盤装着枠（３０）の左右方向の一側に沿って前記枠側ジョイント部（７５）の上下両側に延びる前記取り付け基部（１２５，１２９）を有し、該取り付け基部（１２５，１２９）を上下方向の複数箇所で前記遊技盤装着枠（３０）の裏面に固定したことを特徴とする請求項２〜４の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に前側から遊技盤が着脱自在に装着されている。遊技盤には前面の遊技領域に入賞手段その他の遊技部品が、裏側に遊技部品等の遊技動作を制御する主制御基板及び演出制御基板が夫々装着されている。また前枠側には電源基板、発射制御基板、払い出し制御基板が装着されている。
【０００３】
この種の弾球遊技機において、遊技盤を遊技盤装着枠に着脱するときに盤側コネクタと枠側コネクタとが嵌脱するようにしたものがある（特許文献１）。即ち、遊技盤は前枠の遊技盤装着枠に前側から着脱自在であり、この遊技盤の裏側に装着された集球ケースの一側下部に遊技盤と略平行に盤側ジョイント部が設けられ、この盤側ジョイント部に基板を介して複数の盤側コネクタが後向きに装着されている。一方、遊技盤装着枠の裏側には、盤側ジョイント部に対応して略平行に枠側ジョイント部が設けられ、この枠側ジョイント部に上下、左右に遊動自在な複数の枠側コネクタが前向きに装着されている。
【０００４】
そして、遊技盤を装着する場合には、遊技盤の左側端部を遊技盤装着枠に挿入した後、この左側を中心に遊技盤を回動させながら遊技盤装着枠内へと押し込む。すると遊技盤が遊技盤装着枠内の所定の装着位置に達する最終段階で盤側コネクタと枠側コネクタとが前後に相対向し前後方向に嵌合して接続する。遊技盤を遊技盤装着枠から取り外す場合には、逆に回動させながら遊技盤の右端側から取り出して行く。
【先行技術文献】
【特許文献】
【０００５】
【特許文献１】特開２００９−５８０５号公報
【発明の概要】
【発明が解決しようとする課題】
【０００６】
このようにすれば、遊技盤を前枠の遊技盤装着枠に対して着脱する都度、遊技盤側と前枠側との電気系統を一括して電気的に接続できるため、各信号系統毎にコネクタを着脱する場合に比較して全電気系統を容易に接続でき、遊技盤を前枠に対して着脱する際の利便性が著しく向上する利点がある。
【０００７】
通常、盤側コネクタ、枠側コネクタには嵌脱式コネクタが使用されており、両コネクタの嵌脱時に大きな嵌脱抵抗が発生する。このため遊技盤の着脱時にその嵌脱抵抗により枠側ジョイント部に大きな外力が掛かる問題がある。
【０００８】
しかし、従来は遊技盤外枠の後側に一体に形成され且つ遊技盤の裏側の集球ケース等の裏部材を取り囲む後部ケースの周壁部に枠側ジョイント部を装着していたので、枠側ジョイント部の支持強度を十分に確保できず、コネクタの嵌脱抵抗により枠側ジョイント部が前後方向に大きく動いて、コネクタの接触不良が生じたり、枠側ジョイント部の取り付け部分が損傷する等の惧れがある。
【０００９】
本発明は、このような従来の問題点に鑑み、枠側ジョイント部を確実に固定でき、コネクタの接触不良、枠側ジョイント部の取り付け部分の損傷等を防止できる弾球遊技機を提供することを目的とする。
【課題を解決するための手段】
【００１０】
本発明は、遊技盤６に盤側コネクタ７２ａ〜７２ｄを有する盤側ジョイント部７３を、該遊技盤６が着脱自在に装着される遊技盤装着枠３０を有する前枠３に、枠側コネクタ７４ａ〜７４ｄを有する枠側ジョイント部７５を夫々備え、前記遊技盤６を前記遊技盤装着枠３０に着脱するときに前記盤側コネクタ７２ａ〜７２ｄと前記枠側コネクタ７４ａ〜７４ｄとが電気的に着脱するようにした弾球遊技機において、前記枠側ジョイント部７５を補強する補強部材４９を前記前枠３に設けたものである。
【発明の効果】
【００１１】
本発明によれば、枠側ジョイント部７５を補強する補強部材４９を前枠３に設けているので、枠側ジョイント部７５を確実に固定でき、盤側コネクタ７２ａ〜７２ｄと枠側コネクタ７４ａ〜７４ｄとの接触不良、枠側ジョイント部７５の取り付け部分の損傷等を防止できる利点がある。
【図面の簡単な説明】
【００１２】
【図１】本発明の第１の実施形態を示すパチンコ機の斜視図である。
【図２】同パチンコ機の前枠、遊技盤の正面図である。
【図３】同パチンコ機の背面図である。
【図４】同パチンコ機の平面断面図である。
【図５】同前枠の前右斜視図である。
【図６】同前枠の前左斜視図である。
【図７】同前枠の裏斜視図である。
【図８】同遊技盤の背面図である。
【図９】同押し込み・押し出し手段の平面図である。
【図１０】同押し込み・押し出し手段の斜視図である。
【図１１】同前枠上部の側面断面図である。
【図１２】同前枠側部の平面断面図である。
【図１３】同接続関係を示すブロック図である。
【図１４】同盤側ジョイント部の背面断面図である。
【図１５】同盤側ジョイント部の平面断面図である。
【図１６】同盤側ジョイント部の側面断面図である。
【図１７】同盤側ジョイント部の分解斜視図である。
【図１８】同コネクタカバーの斜視図である。
【図１９】同枠側ジョイント部の正面図である。
【図２０】同枠側ジョイント部の側面断面図である。
【図２１】同図１９のＶ−Ｖ線断面図である。
【図２２】同図１９のＷ−Ｗ線断面図である。
【図２３】同装着時の動作説明図である。
【図２４】同装着時の押し込み・押し出し手段の動作説明図である。
【図２５】同コネクタ接続時の動作説明図である。
【図２６】本発明の第２の実施形態を示す補強部材の斜視図である。
【図２７】本発明の第３の実施形態を示す前枠側部の平面断面図である。
【図２８】本発明の第４の実施形態を示す前枠の裏斜視図である。
【図２９】同前枠側部の平面断面図である。
【図３０】本発明の第５の実施形態を示す前枠の要部の正面図である。
【図３１】同図３０のＸ−Ｘ線拡大断面図である。
【図３２】同図３０のＹ−Ｙ線拡大断面図である。
【図３３】本発明の第６の実施形態を示す押し込み・押し出し手段の平面図である。
【発明を実施するための形態】
【００１３】
以下、本発明の実施形態を図面に基づいて詳述する。図１〜図２５は本発明をパチンコ機に採用した第１の実施形態を例示している。図１において、１は遊技機本体で、矩形状の外枠２と、この外枠２の前側に開閉自在に枢着された前枠３とを備えている。
【００１４】
前枠３は例えば合成樹脂製で、図２、図４〜図７等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤６等が夫々配置されている。枠部４は上下一対の上・下横枠部４ａ，４ｂと、左右一対の左・右縦枠部４ｃ，４ｄとで構成されており、前枠３はその左右一端側、例えば左縦枠部４ｃ側に設けられた上下方向のヒンジ７により外枠２に着脱、開閉自在に枢支されている。
【００１５】
前枠３の前側には、下部装着部３ａに対応する前面開閉板９と、上部装着部３ｂに対応するガラス扉１０とがヒンジ７と同じ側のヒンジ１１により開閉自在に枢支されている。前面開閉板９にはその前側に発射手段５に供給するための遊技球を貯留する供給皿１２、発射手段５を作動させるための発射ハンドル１３等が設けられている。
【００１６】
ガラス扉１０は、図１、図４等に示すように、遊技盤６の遊技領域６ａを透視可能なガラス窓１４の窓孔を有する例えば板金製の扉枠１５と、この扉枠１５の前側に装着された合成樹脂製の化粧カバー１６と、扉枠１５の裏側に装着されたガラスユニット１７とを備え、前枠３側に閉じたとき、扉枠１５の外縁側が上横枠部４ａ及び左・右縦枠部４ｃ，４ｄの前側に略当接すると共に、ガラスユニット１７がその内側に嵌合するようになっている。ガラスユニット１７は、前後二枚のガラス板１８と、この二枚のガラス板１８を外周で保持する合成樹脂製の保持枠１９とで構成されており、扉枠１５の裏側に設けられた締結摘まみ２０により扉枠１５に着脱自在に装着されている。なお、ガラス扉１０には、その上部裏側に左右一対のスピーカ３２が設けられている。
【００１７】
下部装着部３ａは、下横枠部４ｂの上側に沿って横長状に形成されており、図２に示すようにその前側の例えば左右方向の略中央に発射手段５が配置され、前面開閉板９側の供給皿１２から発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作されたときに発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１８】
発射手段５の左側には、後述の払い出し手段６３（図３参照）から払い出された遊技球を前面開閉板９側の供給皿１２に排出するための払い出し口２５等が、右側には下部スピーカ２６等が夫々配置されている。下部スピーカ２６はスピーカユニット２７と、このスピーカユニット２７を収容するスピーカボックス２８とで構成されており、下部装着部３ａに後ろ向きの凹入状に形成された収容部２９（図５、図６参照）内に着脱自在に装着されている。
【００１９】
上部装着部３ｂは、図２、図５、図６に示すように、枠部４の内側で下部装着部３ａの上側に配置され、外枠２の内側に嵌合可能な後ろ向き膨出状に形成されており、その前部に遊技盤６を装着可能な遊技盤装着枠３０が設けられている。上部装着部３ｂにおける遊技盤装着枠３０よりも後側が遊技盤６の後部側を略覆う後部ケース３１となっている。
【００２０】
遊技盤６はベニヤ板等により略矩形状に形成されており、図２に示すように、その前面側には発射手段５により発射された遊技球を遊技領域６ａの上部側に案内する外レール（ガイドレール）３３ａと、遊技領域６ａの周囲を規定する周壁の少なくとも一部を構成する内レール（ガイドレール）３３ｂとが立設されると共に、遊技領域６ａ内には略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００２１】
外レール３３ａ及び内レール３３ｂはガイドレールを構成するもので、外レール３３ａは遊技盤６の下部側の左右方向略中央位置又はそれよりも若干左寄りの位置から遊技盤６の左端側及び上端側を経て右上部側まで略円弧状に配置され、内レール３３ｂは遊技盤６の左上方から下部側の左右方向略中央まで外レール３３ａに並行するようにその内側に配設され、更にそのまま遊技盤６の右縁部近傍まで略円弧状に延設されている。また遊技盤６の右端部には、外レール３３ａと内レール３３ｂの端部間を連結する略円弧状の連結レール部４０ａを備えた例えば合成樹脂製の装飾部材４０が配置されている。
【００２２】
遊技盤６の裏面側には、図４、図８に示すように、センターケース３４ａ等の遊技部品を後側から覆う裏カバー３５が装着され、この裏カバー３５の背面側に主制御基板３６ａが格納された主基板ケース３６、演出制御基板３７ａが格納された演出基板ケース３７、液晶制御基板３８ａが格納された液晶基板ケース３８等が着脱自在に装着されている。
【００２３】
裏カバー３５は、上部側の上部カバー３５ａと下部側の集球ケース３５ｂとで構成されており、これら上部カバー３５ａと集球ケース３５ｂは遊技盤６の裏面に個別に装着されている。集球ケース３５ｂは下部側に排出口３９を備え、大入賞手段３４ｄ等に入賞して遊技盤６の裏側に案内された遊技球を排出口３９側に誘導して下向きに排出するように構成されている。なお、演出基板ケース３７、液晶基板ケース３８は上部カバー３５ａの裏側に装着され、主基板ケース３６は集球ケース３５ｂの裏側に装着されている。
【００２４】
遊技盤装着枠３０は、図２、図４〜図７等に示すように、上下一対の上・下横支持枠４１，４２と左右一対の左・右縦支持枠４３，４４とにより、遊技盤６を前側から着脱できるように前面側が開放された矩形状に形成されている。上横支持枠４１は上横枠部４ａの内周側に、下横支持枠４２は下部装着部３ａの上縁側に、左縦支持枠４３は左縦枠部４ｃの内周側に、右縦支持枠４４は右縦枠部４ｄの内周側に夫々設けられている。
【００２５】
各支持枠４１〜４４は遊技盤６をその上下左右の側縁部で支持するもので、遊技盤６の外周面に沿って配置された周壁部４１ａ〜４４ａと、この周壁部４１ａ〜４４ａの後端から内側へと屈曲し且つ遊技盤６の背面と略平行に配置された後壁部４１ｂ〜４４ｂとを夫々備えている。各支持枠４１〜４４のうち、上横支持枠４１、左・右縦支持枠４３，４４は外枠２の内側に近接して配置されており、その周壁部４１ａ，４３ａ，４４ａは板状に構成されている。なお、上横支持枠４１、右縦支持枠４４には後壁部４１ｂ，４４ｂの前側に遊技盤６が当接する当接部４１ｃ，４４ｃが設けられている。
【００２６】
本実施形態では、遊技盤装着枠３０に対して遊技盤６を着脱する場合には、遊技盤６の左下隅に対応する基準位置Ｏ（図２参照）を基準にして着脱する。従って、図２、図４〜図７に示すように、遊技盤装着枠３０の支持枠４１〜４４のうち、基準位置Ｏに近い左縦支持枠４３側には前係合部４３ｃと付勢手段４３ｄが設けられており、基準位置Ｏから離れた右縦支持枠４４側の上下には押し込み・押し出し手段４５，４６が、基準位置Ｏから離れた上横支持枠４１及び右縦支持枠４４には押圧部４７，４８が夫々設けられている。なお、押し込み・押し出し手段４５，４６により遊技盤装着枠３０内の遊技盤６が前後方向の位置決めされる場合には、上横支持枠４１、右縦支持枠４４の当接部４１ｃ，４４ｃは省略してもよい。
【００２７】
また遊技盤６、前枠３には、図４、図５、図８に示すように、その基準位置Ｏから離れた右縦支持枠４４の下部近傍に、盤側コネクタ７２ａ〜７２ｄを有する盤側ジョイント部７３と、枠側コネクタ７４ａ〜７４ｄを有する枠側ジョイント部７５とが前後方向に相対応して装着され、遊技盤６を遊技盤装着枠３０に対して着脱したときに、盤側コネクタ７２ａ〜７２ｄと枠側コネクタ７４ａ〜７４ｄとが嵌脱して電気的に着脱するようになっている。更に前枠３の裏側には遊技盤装着枠３０の一部から枠側ジョイント部７５側を補強する補強部材４９が装着されている。
【００２８】
基準位置Ｏは発射手段５から発射された遊技球が遊技盤６の外レール３３ａ側へと入る始端側、即ち遊技盤装着枠３０の４つの隅部のうち、下部側で且つ前係合部４３ｃ側の隅部に設定されている。従って、遊技盤６を遊技盤装着枠３０に装着する場合には、図２に示すように基準位置Ｏを基準にして遊技盤６の左縁部を遊技盤装着枠３０内に挿入した後、遊技盤６の左縁部を前係合部４３ｃに係合させて、その係合部分を支点位置Ｐ（図４参照）として前後に回動させながら遊技盤６の右側を遊技盤装着枠３０内へと後方に押し込み、また遊技盤６を取り外す場合には、逆に支点位置Ｐ廻りに右側から遊技盤６を前側へと取り出すことになる。
【００２９】
前係合部４３ｃは左縦支持枠４３の周壁部４３ａから遊技盤６の前面側に沿って突設されており、上下両端側に一対設けられている。付勢手段４３ｄは遊技盤６の端部（左端部）を前係合部４３ｃ側に付勢するもので、板ばね等により構成されると共に、後壁部４３ｂ上又はその内周側の近傍に上下一対配置されている。
【００３０】
各押し込み・押し出し手段４５，４６は、遊技盤６の右側の切り欠き部６ｂ，６ｃに着脱自在に係合して、遊技盤６を遊技盤装着枠３０内の装着位置Ｑまで押し込む機能と、遊技盤装着枠３０内の装着位置Ｑの遊技盤６を押し出す機能と、遊技盤６を押し込み状態で解除可能にロックする機能とを有する。
【００３１】
この各押し込み・押し出し手段４５，４６は、例えば図９、図１０に上側の押し込み・押し出し手段４５を例示するように、支持枠４１，４２の後壁部４１ｂ，４２ｂの前面の取り付け部４１ｃ等に固定された取り付けブラケット１０４と、取り付けブラケット１０４に縦方向の第１枢軸１０５を介して回動自在に枢支され且つ遊技盤６が着脱自在に係合する略コ字状の係合部材１０６と、係合部材１０６を第１枢軸１０５廻りに時計方向に操作して遊技盤６を遊技盤装着枠３０内の所定の装着位置Ｑ（図４、図９参照）へと後方に押し込み、また係合部材１０６を第１枢軸１０５廻りに反時計方向に操作して装着位置Ｑの遊技盤６を遊技盤装着枠３０外へと前方に押し出すための操作部１０７と、係合部材１０６が遊技盤６を装着位置Ｑへと押し込んだときにその装着位置Ｑで係合部材１０６をロックするロック機構１０８とを備え、またそのロック機構１０８には解除用の操作部１０９が設けられている。
【００３２】
係合部材１０６は押し込み係合部１１０を有するＬ字状の前係合体１１１と、押し出し係合部１１２を有するＬ字状の後係合体１１３とを、その係合部１１０，１１２間に遊技盤６の右端部が係脱自在に係合するように略コ字状に組み合わせて構成されており、後係合体１１３は中間が第１枢軸１０５により取り付けブラケット１０４に枢支され、また後係合体１１３の前端部と前係合体１１１の中間部が第１連結軸１１４により枢着されている。
【００３３】
前係合体１１１の後端部には第１連結軸１１４を中心とする長孔１１６が形成され、その長孔１１６に第１枢軸１０５が遊嵌されている。また両係合体１１１，１１３は第１連結軸１１４に套嵌されたバネ１１７により両係合部１１０，１１２が略平行な閉状態を保つように付勢されており、係合部１１０，１１２間に遊技盤６が係合した状態で係合部材１０６が第１枢軸１０５廻りに回動するときに、長孔１１６の範囲内で両係合体１１１，１１３が第１連結軸１１４廻りに開閉可能である。なお、操作部１０７は前係合体１１１の先端側に設けられている。
【００３４】
ロック機構１０８は一端が第１連結軸１１４により係合部材１０６の前端側に枢着された操作リンク１１８と、一端が第２枢軸１１９により取り付けブラケット１０４に枢着された連結リンク１２０とを備え、その操作リンク１１８と連結リンク１２０とを第２連結軸１２１により屈折自在に連結して構成されている。
【００３５】
そして、ロック機構１０８は係合部材１０６が装着位置Ｑまで回動したときに、第２連結軸１２１が第１連結軸１１４と第２枢軸１１９とを結ぶ線分よりも後側に位置した状態で操作リンク１１８の当接部１２２が取り付けブラケット１０４の当接部１２３に当接してロックし、係合部材１０６が第１枢軸１０５廻りに押し出し方向に回動しないように規制する。
【００３６】
操作リンク１１８はくの字状であって、一端側に第１連結軸１１４が、他端側に操作部１０９が夫々設けられ、その中間に第２連結軸１２１と当接部１２２とが設けられている。ロック機構１０８は操作リンク１１８の当接部１２２が取り付けブラケット１０４の当接部１２３に当接するロック状態から操作部１０９を前側へと操作すれば、第２連結軸１２１が第１連結軸１１４と第２枢軸１１９とを結ぶ線分よりも前側へと移動してロックを解除することができる。
【００３７】
なお、取り付けブラケット１０４、係合体１１１，１１３、操作リンク１１８、連結リンク１２０はコの字状に構成されている。ロック機構１０８は操作リンク１１８を取り付けブラケット１０４側に、連結リンク１２０を係合部材１０６側に夫々連結してもよい。また取り付けブラケット１０４、係合部材１０６、操作リンク１１８、連結リンク１２０により四節リンク機構が構成されている。
【００３８】
押圧部４７，４８は遊技盤６を遊技盤装着枠３０内の装着位置Ｑまで押し込んだときに、遊技盤６を基準位置Ｏ側へと押圧するためのものであり、図５、図１１、図１２に示すように、基準位置Ｏに対して上下及び左右方向の反対位置に配置、例えば上横支持枠４１及び右縦支持枠４４の内側に設けられ、その長手方向に所定間隔をおいて複数個配置されている。この各押圧部４７，４８は各支持枠４１，４４の周壁部４１ａ，４４ａから内側に突出する補強リブ４７ａ，４８ａにより構成されている。
【００３９】
補強リブ４７ａ，４８ａは遊技盤装着枠３０に対する遊技盤６の着脱方向である前後方向に長くなっており、この補強リブ４７ａ，４８ａの内側に、遊技盤６を装着位置Ｑまで押し込むときに遊技盤６を基準位置Ｏ側へと押圧するための押圧用傾斜面４７ｂ，４８ｂと、遊技盤装着枠３０内の装着位置Ｑで遊技盤６を保持するための保持面４７ｃ，４８ｃとが設けられている。保持面４７ｃ，４８ｃは遊技盤装着枠３０の当接部４１ｃ，４４ｃの前側に設けられている。
【００４０】
なお、遊技盤６の上端から外枠２までの間隔に余裕のある上横支持枠４１側の補強リブ４７ａは突出高さが大であり、遊技盤６から外枠２までの間隔が小さい右縦支持枠４４側の補強リブ４８ａは突出高さが小となっている。保持面４７ｃ，４８ｃは前後方向に略水平状に設けられている。
【００４１】
後部ケース３１は遊技盤６の裏側に装着された構成部材、例えば裏カバー３５を外周から取り囲むもので、図４〜図７等に示すように、遊技盤装着枠３０よりも内側で裏カバー３５の外周面に沿って配置された上下左右の周壁部５０〜５３で構成され、その周壁部５０〜５３の後端に裏カバー３５の背面に沿って後壁部５４が設けられている。後壁部５４には、その略中央に遊技盤６の裏側の基板ケース３６〜３８等が嵌合する開口部５５が設けられると共に、この開口部５５を後側から開閉可能に覆う開閉カバー５６（図３参照）が開閉・着脱自在に装着されている。
【００４２】
後部ケース３１の下周壁部５１には、図６に示すように、集球ケース３５ｂの排出口３９に対応する切り欠き部５７と、遊技盤６の下部のアウト口５８（図２参照）から遊技盤６の裏側に案内された遊技球を切り欠き部５７側に誘導する傾斜案内部５９とが設けられている。
【００４３】
後部ケース３１の背面側には、図３に示すように、開口部５５の上側に遊技球タンク６０とタンクレール６１とを備えた遊技球タンクユニット６２が着脱自在に装着され、また開口部５５の左右一側に払い出し手段６３と払い出し通路６４とを備えた払い出しユニット６５が着脱自在に装着されており、遊技球が大入賞手段３４ｄ等の入賞口に入賞したとき、又は図外の自動球貸し機から球貸し指令があったときに、遊技球タンク６０内の遊技球をタンクレール６１を経て払い出し手段６３により払い出し、その遊技球を払い出し通路６４、払い出し口２５を経て供給皿１２に案内するようになっている。
【００４４】
また後部ケース３１の下側で且つ下部装着部３ａの背面側には、図３に示すように、基板装着台６６が着脱自在に装着されており、この基板装着台６６の背面側に、例えば電源基板６７が格納された電源基板ケース６８と、払い出し制御基板６９が格納された払い出し基板ケース７０とが着脱自在に装着されている。
【００４５】
遊技盤６の裏側には図４、図８に示すように盤側コネクタ７２ａ〜７２ｄを有する盤側ジョイント部７３が、前枠３の裏側には図４、図５に示すように、枠側コネクタ７４ａ〜７４ｄを有する枠側ジョイント部７５が夫々前後に対応して設けられており、遊技盤６を前枠３に対して着脱するときに、盤側ジョイント部７３の盤側コネクタ７２ａ〜７２ｄと枠側ジョイント部７５の枠側コネクタ７４ａ〜７４ｄとが着脱して、遊技盤装着枠３０に遊技盤６を装着したときに前枠３側と遊技盤６側との電気系統を一括して接続するようになっている。
【００４６】
盤側コネクタ７２ａ〜７２ｄと枠側コネクタ７４ａ〜７４ｄは電気系統の対象別に複数あり、例えば図１３に示すように接続されている。即ち、盤側コネクタ７２ａは中継コネクタ７６ａ、ハーネス７７ａを介して主制御基板３６ａの信号出力部に接続され、盤側コネクタ７２ｂは中継コネクタ７６ｂ、ハーネス７７ｂを介して主制御基板３６ａの電源部に接続され、盤側コネクタ７２ｃは中継コネクタ７６ｃ、ハーネス７７ｃを介して演出制御基板３７ａの演出信号出力部に接続され、盤側コネクタ７２ｄは中継コネクタ７６ｄ、ハーネス７７ｄを介して演出制御基板３７ａ、液晶制御基板３８ａの電源部に接続されている。
【００４７】
枠側コネクタ７４ａはハーネス７８ａを介して払い出し制御基板６９に接続され、枠側コネクタ７４ｂはハーネス７８ｂを介して電源基板６７に接続され、枠側コネクタ７４ｃはハーネス７８ｃを介して、ガラス扉１０の前面側の装飾ランプ（図示省略）を制御する装飾制御基板７９に接続され、枠側コネクタ７４ｄはハーネス７８ｄを介して電源基板６７に接続されている。
【００４８】
盤側コネクタ７２ａ〜７２ｄ、枠側コネクタ７４ａ〜７４ｄが装着された盤側ジョイント部７３と枠側ジョイント部７５は、図４に示すように、遊技盤６の着脱時の支点位置Ｐと反対側の端部で遊技盤６及び遊技盤装着枠３０に前後に相対応して装着されると共に、その支点位置Ｐと反対側が後方となり支点位置Ｐに近い側が前方となるように傾斜状に配置されている。そして、支点位置Ｐ廻りに回動させながら遊技盤６を遊技盤装着枠３０に対して着脱するときに、盤側コネクタ７２ａ〜７２ｄと枠側コネクタ７４ａ〜７４ｄとが、その支点位置Ｐを中心とする円の略接線方向に着脱するようになっている。
【００４９】
盤側ジョイント部７３は、図４、図１４〜図１７等に示すように、遊技盤６の裏部材である集球ケース３５ｂの突出部８１の一側下部に形成された傾斜部８２の裏面側に配置されている。
【００５０】
即ち、集球ケース３５ｂは、図４、図１４〜図１７に示すように、後方へと突出する突出部８１と、この突出部８１の一側下部で遊技盤６の下隅の近傍に配置され且つ突出部８１よりも低く遊技盤６側に接近して段状に形成された傾斜部８２とを有し、その傾斜部８２の裏側に、盤側コネクタ７２ａ〜７２ｄ、中継基板８３ａ〜８３ｃ、コネクタカバー８４等を有する盤側ジョイント部７３が配置されている。
【００５１】
傾斜部８２は図４に示すようにその裏面に装着された中継基板８３ａ〜８３ｃが遊技盤６の前面左縁部、即ち支点位置Ｐを通る直線上に配置されている。従って、傾斜部８２は支点位置Ｐから遠い外側が遊技盤６から後方に離れ、近い内側が遊技盤６側に接近するように傾斜状に設けられており、この傾斜部８２の左側に突出部８１の側壁８１ａが、上側に突出部８１の下壁８１ｂが夫々近接している。
【００５２】
各盤側コネクタ７２ａ〜７２ｄは、その長手方向を左右にして上下方向に配置され、中継基板８３ａ〜８３ｃの裏面に固定されている。盤側コネクタ７２ａ〜７２ｄは嵌合凹部８５ａと、この嵌合凹部８５ａ内に設けられた多数のピン群８５ｂとを有する。嵌合凹部８５ａの開口端側の内周には、遊技盤６の装着時に枠側コネクタ７４ａ〜７４ｄを嵌合凹部８５ａ内へと案内する案内部８５ｃが傾斜状に形成されている。
【００５３】
各中継基板８３ａ〜８３ｃは左右方向に長く構成されており、その突出部８１から遠い側に盤側コネクタ７２ａ〜７２ｄが、近い側に中継コネクタ７６ａ〜７６ｄが夫々装着されている。そして、各中継基板８３ａ〜８３ｃは傾斜部８２の裏面に区画して形成された各基板取り付け部８６に裏側から嵌合され、その内周側に設けられた受け部８７に裏側から当接した状態でネジ８８とコネクタカバー８４とにより傾斜部８２に着脱自在に固定されている。各中継コネクタ７６ａ〜７６ｄにはハーネス７７ａ〜７７ｄが着脱自在に接続されている。
【００５４】
主制御基板３６ａの信号出力用の盤側コネクタ７２ａと電源用の盤側コネクタ７２ｂは中継基板８３ａに設けられており、演出制御基板３７ａの演出信号出力用の盤側コネクタ７２ｃと、演出制御基板３７ａ及び液晶制御基板３８ａの電源用の盤側コネクタ７２ｄは共通の中継基板８３ｂ，８３ｃに設けられている。各基板取り付け部８６は中継基板８３ａ〜８３ｃに対応して区画され、その各基板取り付け部８６には内周側に所定の間隔をおいて受け部８７が設けられている。
【００５５】
各中継基板８３ａ〜８３ｃはコネクタカバー８４と反対側の端部で傾斜部８２の固定部８８ａに螺合するネジ８８により固定されているが、突出部８１の側壁８１ａ側ではコネクタカバー８４により固定されている。
【００５６】
コネクタカバー８４は、図１８に示すように、中継コネクタ７６ａ〜７６ｄ及びハーネス７７ａ〜７７ｄを覆うためのものであり、同時に各中継基板８３ａ〜８３ｃを傾斜部８２側に押える基板押えを兼用している。このコネクタカバー８４は、盤側コネクタ７２ａ〜７２ｄと中継コネクタ７６ａ〜７６ｄとの間で各中継基板８３ａ〜８３ｃに跨がって配置され且つ中継基板８３ａ〜８３ｃ側から後方に突出する覆い部９０と、この覆い部９０の側壁８１ａ側に一体に形成され且つ各中継コネクタ７６ａ〜７６ｄ毎に上下に仕切る前後方向の複数の仕切り壁９１と、上下両端の仕切り壁９１を除く中間の仕切り壁９１に形成された取り付け部９２とを有し、その取り付け部９２が側壁８１ａの近傍で傾斜部８２から後方に突出する固定部９３に後側からネジ９４により着脱自在に固定されている。
【００５７】
覆い部９０は、図１５に示すように、中継コネクタ７６ａ〜７６ｄの後方近傍に段部９０ａを有し、その段部９０ａから前側の前部９０ｂが中継基板８３ａ〜８３ｃに略直角であり、段部９０ａから後側の後部９０ｃが側壁８１ａ側に傾斜している。このためコネクタカバー８４は、その後部９０ｃが側壁８１ａ側に傾斜することにより、中継コネクタ７６ａ〜７６ｄを覆いハーネス７７ａ〜７７ｄが盤側コネクタ７２ａ〜７２ｄの後方側へと食み出さないように突出部８１側へと押え付けると共に、支点位置Ｐ廻りに回動させながら遊技盤６を着脱するときに枠側ジョイント部７５側と干渉しないようになっている。
【００５８】
また覆い部９０の後端は突出部８１の側壁８１ａとの間に所定の間隙をおいて配置されている。下端の仕切り壁９１を除く各仕切り壁９１の側壁８１ａ側の端縁は、覆い部９０の後端から中継コネクタ７６ａ〜７６ｄの後側近傍までの間が遊技盤６に対して略垂直になっており、各中継コネクタ７６ａ〜７６ｄに対するハーネス７７ａ〜７７ｄの接続を容易にできるように、覆い部９０の後端から側壁８１ａ側に突出しない形状となっている。なお、下端の仕切り壁９１は、ハーネス７７ａ〜７７ｄが下側へと垂れ下がらないように集球ケース３５ｂの突出部８１に近接してその下側へと延びている。
【００５９】
取り付け部９２は、図１５、図１８に示すように、遊技盤６に対して略垂直な有底状の嵌合筒部９２ａにより構成されている。嵌合筒部９２ａは上下両側を除く中間の複数の仕切り壁９１の前端部に側壁８１ａ側へと突出して一体に形成されており、その中心が突出部８１とコネクタカバー８４の後端との間隙の中間を通るように遊技盤６に対して略垂直に設けられている。固定部９３は突出部８１の側壁８１ａの近傍で傾斜部８２から後方に突出する円柱の突起状であり、この固定部９３に嵌合筒部９２ａが裏側から着脱自在に套嵌されている。
【００６０】
なお、取り付け部９２を設けるに当たっては、中間の複数の仕切り壁９１のうち、その一部である複数の仕切り壁９１に設けてもよく、上下両側を除く中間の仕切り壁９１の全てに設ける必要はない。
【００６１】
固定部９３は遊技盤６に対して略垂直であり、突出部８１の側壁８１ａに近接して設けられ、前後方向の連結リブ９３ａにより側壁８１ａと一体になっている。嵌合筒部９２ａには連結リブ９３ａに対応して偏平部にスリット９２ｂが設けられている。突出部８１と覆い部９０との後端間には所定の間隔があり、取り付け部９２の後方側はドライバ等によりネジ９４を容易に操作できるように開放状になっている。なお、コネクタカバー８４の前端は各中継基板８３ａ〜８３ｃに当接している。
【００６２】
枠側ジョイント部７５は、図４、図５、図１２、図１９〜図２２に示すように、各盤側コネクタ７２ａ〜７２ｄに対応して取り付け板９７に装着された枠側コネクタ７４ａ〜７４ｄを有し、遊技盤６を遊技盤装着枠３０に装着したときに盤側ジョイント部７３と前後に相対応して中継基板８３ａ〜８３ｃと略平行となるように配置されている。即ち、遊技盤装着枠３０の後側の後部ケース３１には、枠側ジョイント部７５の取り付け台９８が設けられ、この取り付け台９８の前面に形成された複数箇所の取り付けボス９９にネジ１００等を介して取り付け板９７が着脱自在に固定されている。
【００６３】
取り付け台９８は、図１２、図１９〜図２２に示すように、後部ケース３１の下部周壁部５１及び右周壁部５３側の二辺に跨がって一体に形成され且つ枠側ジョイント部７５を裏側から覆う矩形状の後壁部９８ａを有し、この後壁部９８ａが下部周壁部５１、右周壁部５３と、他の二辺から前側へと屈曲する屈曲壁９８ｂ，９８ｃとにより取り囲まれている。後壁部９８ａの前面側の周縁側に複数の取り付けボス９９が設けられている。
【００６４】
取り付け板９７には、図２２に示すように、底部が中継基板８３ａ〜８３ｃと略平行に傾斜する４個の傾斜凹部１０１が凹入状に形成され、この各傾斜凹部１０１の底部の前面にはその開口１０１ａに一部が嵌合するように、各盤側コネクタ７２ａ〜７２ｄに対応する枠側コネクタ７４ａ〜７４ｄが取り付けられている。
【００６５】
枠側コネクタ７４ａ〜７４ｄは、図１９〜図２２に示すように、盤側コネクタ７２ａ〜７２ｄの嵌合凹部８５ａ内に嵌合可能な嵌合突部１０２ａと、この嵌合突部１０２ａ内に設けられた多数のピン孔群１０２ｂと、左右一対の取り付け突部１０２ｃと、ピン孔群１０２ｂと取り付け突部１０２ｃとの間に設けられ且つ盤側コネクタ７２ａ〜７２ｄの案内部８５ｃとの間で嵌合突部１０２ａを嵌合凹部８５ａへと案内する左右一対の案内部１０２ｄとを有する。
【００６６】
各取り付け突部１０２ｃには図２２に示すように遊動孔１０２ｅが形成され、その遊動孔１０２ｅに取り付け板９７に固定されたネジ等の取り付け具１０２ｆが遊嵌されている。従って、各枠側ジョイント部７５は遊動孔１０２ｅと取り付け具１０２ｆとの許容範囲内で任意の方向に遊動自在である。
【００６７】
各枠側コネクタ７４ａ〜７４ｄには取り付け板９７の裏側でハーネス７８ａ〜７８ｄが接続され、そのハーネス７８ａ〜７８ｄは例えば取り付け台９８の下周壁部５１等に形成された取り出し口５１ａを経て外部に引き出された後、電源基板６７、払い出し制御基板６９、装飾制御基板７９等に夫々接続されている。
【００６８】
なお、取り付け台９８の屈曲壁９８ｂは覆い部９０の段部９０ａに近接しており、覆い部９０の段部９０ａから後側は遊技盤６の着脱時に屈曲壁９８ｂと干渉しないように突出部８１側に傾斜している。
【００６９】
補強部材４９は板金製であって、図７、図１２に示すように、遊技盤装着枠３０の右縦支持枠４４と枠側ジョイント部７５の取り付け台９８とを補強するように、右縦支持枠４４の後側で後部ケース３１の外側に装着されている。この補強部材４９は後部ケース３１の周壁部５３の外側面に沿って配置された帯状の取り付け基部兼用の縦補強部１２５と、縦補強部１２５の下部側から所定の上下幅で後方に突出する突出部１２６と、突出部１２６の後端から屈曲部１２７を介して取り付け台９８の裏側に屈曲する裏補強部１２８とを一体に備えている。
【００７０】
縦補強部１２５は周壁部５３の外周面の凹凸形状に沿って屈曲して形成されており、その前端縁には外側に屈曲する取り付け部１２５ａが上下方向に所定の間隔をおいて複数個、例えば上、中、下の３箇所に設けられ、その取り付け部１２５ａが前枠３の裏側にネジ１２５ｂにより着脱自在に固定されている。
【００７１】
なお、３箇所の取り付け部１２５ａのうち、上及び中の２箇所の右縦支持枠４４に対応する取り付け部１２５ａはその右縦支持枠４４の裏面に、下の取り付け部１２５ａは右縦支持枠４４よりも下側で前枠３の裏面に夫々固定されている。
【００７２】
突出部１２６、屈曲部１２７及び裏補強部１２８は、周壁部５３から取り付け台９８に跨がる形状に沿っており、これらの下端縁は略同一高さであり、上端縁は突出部１２６から裏補強部１２８へと順次低くなっている。
【００７３】
裏補強部１２８は取り付け台９８の略全体を裏側から覆う大きさであって、その上側縁及び内側縁に前側に屈曲する折り曲げ縁１２８ａ，１２８ｂが設けられている。この裏補強部１２８は上下左右の複数箇所でネジ１２８ｃにより取り付け台９８に固定されており、盤側コネクタ７２ａ〜７２ｄの枠側コネクタ７４ａ〜７４ｄに対する着脱時にその嵌脱抵抗により取り付け台９８が前後方向の何れにも動かないように、取り付け台９８を補強している。
【００７４】
上記構成のパチンコ機において、遊技盤６を遊技盤装着枠３０に装着する場合には、図２３に実線で示すように上下の押し込み・押し出し手段４５，４６の係合部材１０６を前内向きにした状態で、遊技盤６の左縁部を遊技盤装着枠３０の基準位置Ｏに合わせて後壁部４３ｂと前係合部４３ｃとの間に入れた後、遊技盤６の右端側を遊技盤装着枠３０内に押し込むと、遊技盤６の右側縁の切り欠き部６ｂ，６ｃが押し込み・押し出し手段４５，４６の係合部材１０６に係合する。
【００７５】
例えば押し込み・押し出し手段４５では、図２４に示すように、遊技盤６がその係合部材１０６に係合した後、係合部材１０６の操作部１０７を後側に押圧すると、係合部材１０６が第１枢軸１０５廻りに時計方向（ａ矢示方向）に回動し、前係合体１１１の押し込み係合部１１０により遊技盤装着枠３０内へと後方に押し込む。これによって遊技盤６は支点位置Ｐ廻りに反時計方向（図２３のｂ矢示方向）に回動しながら遊技盤装着枠３０内の所定位置まで嵌合する。
【００７６】
また係合部材１０６が第１枢軸１０５廻りに時計方向に回動すると、その回動に伴ってロック機構１０８の操作リンク１１８と連結リンク１２０とが伸長し、遊技盤６の装着位置Ｑまで係合部材１０６が回動したときに最大伸長状態となり、それ以上は回動しなくなる。そして、操作リンク１１８の操作部１０９を反時計方向に若干操作しておけば、操作リンク１１８と連結リンク１２０とが逆方向に屈折して当接部１２２，１２３同士が当接して、図９に示すように遊技盤６が嵌合位置Ｑに位置した状態で係合部材１０６を解除不能にロックすることができる。
【００７７】
一方、支点位置Ｐ廻りに反時計方向に回動して遊技盤６が遊技盤装着枠３０の周壁部４１ａ〜４４ａ内に入ると、その上横支持枠４１の周壁部４１ａ及び右縦支持枠４４の周壁部４４ａの内面に、補強リブ４７ａ，４８ａによって構成された押圧部４７，４８があり、遊技盤６の上側面及び右側面が各補強リブ４７ａ，４８ａの押圧用傾斜面４７ｂ，４８ｂに接触し、この押圧用傾斜面４７ｂ，４８ｂに沿って案内されながら遊技盤装着枠３０内に嵌合して行く。このため遊技盤６を遊技盤装着枠３０内に押し込めば、各押圧部４７，４８により遊技盤６を遊技盤装着枠３０内の基準位置Ｏへと押圧でき、その基準位置Ｏに合わせて遊技盤６を固定しロックすることができる。
【００７８】
また各支持枠４１，４４の内側に押圧部４７，４８を設けており、遊技盤装着枠３０内に嵌合する遊技盤６をその押圧部４７，４８で案内しながら基準位置Ｏへと押圧するため、押圧部４７，４８自体を可動式にする必要がなく構造が簡単で容易且つ安価に実施できる。
【００７９】
しかも押圧部４７，４８で遊技盤６を押圧する際の反力を遊技盤装着枠３０の各支持枠４１，４４で直接受けることができるため、可動式とする必要がないことと相俟って押圧部４７，４８の耐久性が向上する。
【００８０】
更に押圧部４７，４８は補強リブ４７ａ，４８ａを兼用しているので、支持枠４１，４４の周壁部４１ａ，４４ａに押圧部４７，４８を設けると同時に、その押圧部４７，４８により支持枠４１，４４の周壁部４１ａ，４４ａを補強することも可能である。
【００８１】
右縦支持枠４４の周壁部４４ａには補強リブ４８ａに対応する部分に遊技盤６を基準位置Ｏへと横方向に押圧する際の反力が加わるが、この右縦支持枠４４の裏側には後部ケース３１の周壁部５３に沿って上下方向に補強部材４９の縦補強部１２５があり、その縦補強部１２５で右縦支持枠４４を補強しているため、右縦支持枠４４側では遊技盤６と外枠２との間隔が小さく周壁部４４ａの左右方向の厚さを十分に確保し難いにも拘わらず、右縦支持枠４４側の変形、損傷等を未然に防止でき、また押圧部４７，４８により遊技盤６を基準位置Ｏへと確実に押圧することが可能である。
【００８２】
しかも、補強部材４９の縦補強部１２５は右縦支持枠４４の裏内側の後部ケース３１の周壁部５３に沿って設け、その前端の取り付け部１２５ａを右縦支持枠４４等の裏面に固定しているため、右縦支持枠４４を補強部材４９の縦補強部１２５で補強するようにしているが、補強部材４９を設けることによって右縦支持枠４４側の左右幅が大になるようなこともない。
【００８３】
更に遊技盤６を支点位置Ｐ廻りに回動させて遊技盤装着枠３０内に押し込んで行くと、その最終段階で図２５に実線で示すように、盤側ジョイント部７３の盤側コネクタ７２ａ〜７２ｄが枠側ジョイント部７５の枠側コネクタ７４ａ〜７４ｄの前面側に対応した後、両案内部８５ｃ，１０２ｄの相対的な案内作用により、盤側コネクタ７２ａ〜７２ｄの嵌合凹部８５ａと枠側コネクタ７４ａ〜７４ｄの嵌合突部１０２ａとが嵌合する。そして、遊技盤６を図２５に二点鎖線で示すように装着位置Ｑまで押し込だときには、両コネクタ７２ａ〜７２ｄ，７４ａ〜７４ｄが前枠３側と遊技盤６側との電気系統を一括して接続することができる。
【００８４】
盤側コネクタ７２ａ〜７２ｄと枠側コネクタ７４ａ〜７４ｄとが嵌合する際に、両者間の嵌合抵抗により枠側ジョイント部７５が後方に押圧されるが、枠側ジョイント部７５の裏側に補強部材４９の裏補強部１２８があり、この裏補強部１２８を介して補強部材４９により枠側ジョイント部７５を補強しているので、枠側ジョイント部７５が後方に移動することがなく、盤側コネクタ７２ａ〜７２ｄと枠側コネクタ７４ａ〜７４ｄとを確実に嵌合させることができる。
【００８５】
従って、盤側コネクタ７２ａ〜７２ｄと枠側コネクタ７４ａ〜７４ｄとの間での接触不良を防止できると共に、枠側ジョイント部７５及びこれを支持する取り付け台９８側の損傷等を未然に防止することができる。
【００８６】
また補強部材４９は裏補強部１２８の一端の屈曲部１２７から突出部１２６を経て縦補強部１２５へと前側に大きく延びており、その縦補強部１２５の前端の取り付け部１２５ａを遊技盤装着枠３０等の裏面に固定しているので、裏補強部１２８の極近傍に取り付け部１２５ａがある場合に比較して各取り付け箇所の負担も軽減できる。
【００８７】
遊技盤６は前係合部４３ｃと係合する支点位置Ｐを中心として反時計方向に回動し、その回動により盤側コネクタ７２ａ〜７２ｄと枠側コネクタ７４ａ〜７４ｄとが互いに嵌合して接続するが、そのとき盤側コネクタ７２ａ〜７２ｄと枠側コネクタ７４ａ〜７４ｄは支点位置Ｐを中心とする円の略接線方向に嵌合する。
【００８８】
従って、盤側コネクタ７２ａ〜７２ｄと枠側コネクタ７４ａ〜７４ｄとの間に多少の位置ずれがあっても、案内部８５ｃ，１０２ｄの案内作用により、盤側コネクタ７２ａ〜７２ｄと枠側コネクタ７４ａ〜７４ｄとを無理なく嵌合させることができる。また枠側コネクタ７４ａ〜７４ｄの少ない遊動量で両コネクタ７２ａ〜７２ｄ，７４ａ〜７４ｄを接続することができる。
【００８９】
また枠側コネクタ７４ａ〜７４ｄの遊動量を少なく抑えて枠側ジョイント部７５の複数の枠側コネクタ７４ａ〜７４ｄ相互の位置ずれも小さくできることから、遊技盤６を遊技盤装着枠３０内に押し込んだときに、各案内部８５ｃ，１０２ｄで相互に案内可能な範囲内で複数の盤側コネクタ７２ａ〜７２ｄと枠側コネクタ７４ａ〜７４ｄとを対向させることが可能となり、盤側コネクタ７２ａ〜７２ｄと枠側コネクタ７４ａ〜７４ｄとの一部の位置が合わないために接続できず、遊技盤６を遊技盤装着枠３０に対して出し入れしながら接続作業を複数回繰り返すようなこともない。
【００９０】
盤側コネクタ７２ａ〜７２ｄと枠側コネクタ７４ａ〜７４ｄとを着脱する場合、両者が接線方向に着脱するように構成することが望ましいが、遊技盤６の左右幅に比較して中継基板８３ａ〜８３ｃからの盤側コネクタ７２ａ〜７２ｄの突出量が僅かであることから、その中継基板８３ａ〜８３ｃを支点位置Ｐを通る直線上に配置して、この中継基板８３ａ〜８３ｃに略平行に盤側コネクタ７２ａ〜７２ｄを装着し、盤側コネクタ７２ａ〜７２ｄと枠側コネクタ７４ａ〜７４ｄとが略接線方向に着脱するようにしているので、設計等を容易にできる利点がある。
【００９１】
枠側ジョイント部７５の取り付け板９７には、接続時に底部が中継基板８３ａ〜８３ｃと略平行に傾斜する傾斜凹部１０１が凹入状に形成され、この傾斜凹部１０１内の前面にはその開口１０１ａに一部が嵌合するように枠側コネクタ７４ａ〜７４ｄが取り付けられているので、枠側ジョイント部７５の前後方向の寸法を薄くすることができる。
【００９２】
更に遊技盤６の裏側の集球ケース３５ｂに傾斜部８２を設けて、その傾斜部８２の裏側を盤側ジョイント部７３とし、この盤側ジョイント部７３に、盤側コネクタ７２ａ〜７２ｄを有する中継基板８３ａ〜８３ｃを配置しているため、集球ケース３５ｂの一部を利用して簡単な構造で盤側ジョイント部７３を設けることができる。
【００９３】
また集球ケース３５ｂの突出部８１の近傍に傾斜部８２があり、この傾斜部８２に盤側ジョイント部７３の中継基板８３ａ〜８３ｃを配置しているが、コネクタカバー８４を押え用に兼用して、このコネクタカバー８４で中継基板８３ａ〜８３ｃの突出部８１側の端部を押えて固定しているので、スペース的に非常に窮屈であるにも拘わらず、簡単な構造で中継基板８３ａ〜８３ｃを確実に固定できる利点がある。
【００９４】
その際にコネクタカバー８４と突出部８１との間に所定の間隙があり、コネクタカバー８４の突出部８１側に、その間隙の前側に対応して取り付け部９２があり、突出部８１近傍の傾斜部８２に取り付け部９２を裏側からネジ９４で固定するための固定部９３があるので、コネクタカバー８４の突出部８１との後端側の間隙からドライバー等を挿入してコネクタカバー８４を容易に固定できる。
【００９５】
また取り付け部９２をその中心がコネクタカバー８４と突出部８１との後端側の間隙を通る方向の有底筒状とし、固定部９３を取り付け部９２が裏側から着脱自在に嵌合する前後方向の突起状とすることにより、ネジ９４の締め付け前の時点でコネクタカバー８４の姿勢を安定したものにすることができる。更に嵌合筒部９２ａの前端を中継基板８３ａ〜８３ｃに当接させることにより、中継基板８３ａ〜８３ｃを突出部８１側の端部で固定できる。
【００９６】
遊技盤６を遊技盤装着枠３０から取り外す場合には、押し込み・押し出し手段４５，４６を操作して遊技盤６の右側を前に押し出す。例えば押し込み・押し出し手段４５では、操作リンク１１８の操作部１０９を前側に操作して操作リンク１１８を第１連結軸１１４廻りに時計方向に回動させてロック機構１０８による装着位置Ｑでのロックを解除する。
【００９７】
次に係合部材１０６の操作部１０７を前側に操作すると、係合部材１０６が第１枢軸１０５廻りに横向き位置から前内向き位置へと反時計方向に回動するので、遊技盤６の右側が後係合体１１３の押し出し係合部１１２により裏から前側へと押し出される。そして、遊技盤６の右端側が遊技盤装着枠３０から前に出れば、遊技盤６の適当位置に手を掛けて遊技盤装着枠３０から取り外せばよい。
【００９８】
この遊技盤６の押し出し時に、盤側コネクタ７２ａ〜７２ｄが枠側コネクタ７４ａ〜７４ｄから抜けるための抵抗が枠側ジョイント部７５に加わり、枠側ジョイント部７５が前側に引っ張られる。しかし、枠側ジョイント部７５は補強部材４９により補強されているため、枠側ジョイント部７５が前側へと移動するようなことはない。
【００９９】
図２６は本発明の第２の実施形態を例示する。この実施形態では、補強部材４９は後部ケース３１の周壁部５３の外側に沿って上下方向に配置され且つ上下両端側に取り付け部１２９ａを有する縦方向の取り付け基部１２９を備え、この取り付け基部１２９の上下方向の略中央から後方に突出する突出部１２６、その後端から裏側へと屈曲する屈曲部１２７を介して枠側ジョイント部７５の裏側に対応する裏補強部１２８が設けられている。その他の構成は第１の実施形態と同様である。
【０１００】
補強部材４９により枠側ジョイント部７５を補強する場合には、このように後部ケース３１の周壁部５３の外側に沿って上下方向に比較的短い取り付け基部１２９を設け、この取り付け基部１２９を介して前枠３の裏側に固定してもよい。
【０１０１】
図２７は本発明の第３の実施形態を例示する。この実施形態では、補強部材４９が枠側ジョイント部７５の取り付け用を兼用しており、その裏補強部１２８の前面に枠側ジョイント部７５が装着されている。従って、第１の実施形態に例示するような、後部ケース３１に一体の取り付け台９８はない。その他の構成は第１の実施形態と同様である。
【０１０２】
この実施形態のように補強部材４９の補強部自体に枠側ジョイント部７５を取り付けることも可能である。なお、このように枠側ジョイント部７５を補強部材４９に取り付ける場合には、枠側ジョイント部７５に、枠側コネクタ７４ａ〜７４ｄの裏側を覆うケース状であることが望ましい。
【０１０３】
図２８、図２９は本発明の第４の実施形態を例示する。この実施形態の補強部材４９は、縦補強部１２５は遊技盤装着枠３０の右縦支持枠４４の周壁部４４ａの外側に沿って配置された上下方向の帯状の縦補強部１２５を備え、その前端の取り付け部１２５ａが前枠３の縦枠部４ｄの裏面にネジ１２５ｂ等で固定されている。縦補強部１２５から後方に突出する突出部１２６は後部ケース３１の周壁部５３の外側面に沿って配置され、突出部１２６の後端に屈曲部１２７を介して裏補強部１２８が設けられている。
【０１０４】
このように縦補強部１２５は右縦支持枠４４の周壁部５３の外側に沿って配置してもよい。
【０１０５】
図３０〜図３２は本発明の第５の実施形態を例示する。図３０、図３１は上横支持枠４１側の押圧部４７，４８を、図３０、図３２は右縦支持枠４４側の押圧部４７，４８を夫々示し、これらの押圧部４７，４８は押圧用傾斜面４７ｂ，４８ｂと保持面４７ｃ，４８ｃとを有する中空状に形成されている。
【０１０６】
このように押圧部４７，４８は、支持枠４１，４４から内側に突出しておればよく、必ずしもリブ状である必要はない。
【０１０７】
図３３は本発明の第６の実施形態を例示する。この実施形態の押し込み・押し出し手段４５，４６は、ロック機構１０８を構成する操作リンク１１８と連結リンク１２０とのうち、操作リンク１１８が第２枢軸１１９により取り付けブラケット１０４に、連結リンク１２０が第１連結軸１１４により係合部材１０６に夫々連結されている。また連結リンク１２０が当接部１２２を有し、この当接部１２２が取り付けブラケット１０４の当接部１２３に当接するようになっている。
【０１０８】
この場合には、係合部材１０６が装着位置Ｑまで回動したときに連結リンク１２０の当接部１２２が取り付けブラケット１０４の当接部１２３に当接して係合部材１０６をロックする。そして、操作リンク１１８の操作部１０９を第２枢軸１１９廻りに反時計方向に操作したときに、操作リンク１１８が第２枢軸１１９廻りに回動してロックが解除される。従って、ロック機構１０８はこのように構成してよい。
【０１０９】
以上、本発明の実施形態について詳述したが、本発明はこれらの実施形態に限定されるものではなく、本発明の趣旨を逸脱しない範囲で種々の変更が可能である。例えば、実施形態では、遊技盤装着枠３０の右縦支持枠４４の補強用と、枠側ジョイント部７５の補強用とに兼用する補強部材４９を例示しているが、右縦支持枠４４の補強用と、枠側ジョイント部７５の補強用とを別々に設けてもよい。
【０１１０】
枠側ジョイント部７５を補強部材４９で補強する場合、枠側ジョイント部７５の裏側に裏補強部１２８を配置して補強するのが一般的であるが、枠側ジョイント部７５の上下両側に補強部を配置して補強してもよい。
【０１１１】
また各実施形態の補強部材４９は前枠３とは別に構成し、前枠３を樹脂成型等で構成した後、その前枠３の所定箇所に補強部材４９を固定するようにしているが、前枠３の樹脂成型時にモールド成型等で補強部材４９を一体に設けてもよい。更に補強部材４９には板金材を用いるのが一般的であるが、板金材以外の線材等を用いてもよい。
【０１１２】
更に各実施形態では、押し込み・押し出し手段４５，４６により遊技盤６の右端側を押し込んだときに、押圧部４７，４８が遊技盤６を基準位置Ｏへと押圧するようにしているが、押し込み・押し出し手段４５，４６を省略して、作業者が遊技盤６の前面に手を当てて遊技盤装着枠３０内へと直接押し込むようにしてもよい。
【０１１３】
盤側コネクタ７２ａ〜７２ｄ、枠側コネクタ７４ａ〜７４ｄは左右方向に横長状に配置して上下方向に複数並設しているが、上下方向に長くなる縦長状に配置して左右方向に複数並設してもよい。盤側コネクタ７２ａ〜７２ｄ、枠側コネクタ７４ａ〜７４ｄは、盤側ジョイント部７３と枠側ジョイント部７５との夫々が１個となるようにまとめて設けてもよい。また複数の盤側コネクタ７２ａ〜７２ｄ、枠側コネクタ７４ａ〜７４ｄを配置する場合、その一部を横長状に配置し、残りを縦長状に配置してもよい。
【０１１４】
枠側ジョイント部７５の枠側コネクタ７４ａ〜７４ｄを浮動状に設ける他、盤側ジョイント部７３の盤側コネクタ７２ａ〜７２ｄを浮動状に設けてもよいし、両コネクタ７２ａ〜７２ｄ，７４ａ〜７４ｄを共に浮動状に設けてもよい。また両コネクタ７２ａ〜７２ｄ，７４ａ〜７４ｄの内、その一方を上下方向に、他方を左右方向に浮動状に設けてもよい。なお、両コネクタ７２ａ〜７２ｄ，７４ａ〜７４ｄを浮動不能に固定してもよい。
【０１１５】
実施形態では盤側コネクタ７２ａ〜７２ｄと枠側コネクタ７４ａ〜７４ｄとが略接線方向に嵌脱するように設けているが、盤側コネクタ７２ａ〜７２ｄと枠側コネクタ７４ａ〜７４ｄとが遊技盤６と略平行になるように盤側ジョイント部７３、枠側ジョイント部７５を設けてもよい。
【０１１６】
実施形態では遊技盤６の裏側の構成部材として集球ケース３５ｂを例示し、その段部９０ａの裏側に盤側ジョイント部７３を装着しているが、盤側ジョイント部７３は集球ケース３５ｂ以外の構成部材に設けてもよい。また盤側ジョイント部７３は遊技盤６の裏面に直接設けてもよい。
【０１１７】
また枠側ジョイント部７５の取り付け台９８を後部ケース３１の周壁部５１，５３に一体に設け、この取り付け台９８に枠側ジョイント部７５を取り付けているが、枠側ジョイント部７５又は取り付け台９８は遊技盤装着枠３０の裏側で遊技盤６側の盤側ジョイント部７３と前後に相対向するように後部ケース３１とは別に設けてもよい。
【０１１８】
実施形態では遊技盤６の一端側の下部を基準位置Ｏとして遊技盤６を遊技盤装着枠３０に対して着脱自在とし、その基準位置Ｏと反対側の他端部に盤側ジョイント部７３、枠側ジョイント部７５を下部側に配置しているが、この盤側ジョイント部７３、枠側ジョイント部７５は遊技盤装着枠３０の左右方向の中間位置に対応して配置してもよいし、上部側に対応して配置してもよい。
【０１１９】
盤側コネクタ７２ａ〜７２ｄ、枠側コネクタ７４ａ〜７４ｄは支点位置Ｐを中心とする略接線方向に着脱することが望ましいが、その中心は厳密な意味での支点位置Ｐである必要はなく、支点位置Ｐの近傍領域であれば十分である。また盤側コネクタ７２ａ〜７２ｄ、枠側コネクタ７４ａ〜７４ｄを着脱できる構造であれば、盤側ジョイント部７３と枠側ジョイント部７５とを略平行に設け、その対向面に盤側コネクタ７２ａ〜７２ｄ、枠側コネクタ７４ａ〜７４ｄを装着したものでもよい。
【０１２０】
遊技盤６は遊技盤装着枠３０に対して裏側から着脱自在に装着してもよい。この場合にも盤側ジョイント部７３、枠側ジョイント部７５を前後に対応して配置することにより、同様に実施可能である。
【０１２１】
固定具はネジが一般的であるが、ネジ以外のものを使用してもよい。更に本発明は、パチンコ機に限らず、アレンジボール機、雀球遊技機等の各種の弾球遊技機においても同様に実施することが可能である。
【符号の説明】
【０１２２】
３  前枠
６  遊技盤
３０  遊技盤装着枠
３１  後部ケース（構成部材）
４９  補強部材
５３  周壁部
７２ａ〜７２ｄ  盤側コネクタ
７３  盤側ジョイント部
７４ａ〜７４ｄ  枠側コネクタ
７５  枠側ジョイント部
９８  取り付け台
１２５，１２９  取り付け基部
１２８  補強部
【図１】
2010284263.tif 000003
【図２】
2010284263.tif 000004
【図３】
2010284263.tif 000005
【図４】
2010284263.tif 000006
【図５】
2010284263.tif 000007
【図６】
2010284263.tif 000008
【図７】
2010284263.tif 000009
【図８】
2010284263.tif 000010
【図９】
2010284263.tif 000011
【図１０】
2010284263.tif 000012
【図１１】
2010284263.tif 000013
【図１２】
2010284263.tif 000014
【図１３】
2010284263.tif 000015
【図１４】
2010284263.tif 000016
【図１５】
2010284263.tif 000017
【図１６】
2010284263.tif 000018
【図１７】
2010284263.tif 000019
【図１８】
2010284263.tif 000020
【図１９】
2010284263.tif 000021
【図２０】
2010284263.tif 000022
【図２１】
2010284263.tif 000023
【図２２】
2010284263.tif 000024
【図２３】
2010284263.tif 000025
【図２４】
2010284263.tif 000026
【図２５】
2010284263.tif 000027
【図２６】
2010284263.tif 000028
【図２７】
2010284263.tif 000029
【図２８】
2010284263.tif 000030
【図２９】
2010284263.tif 000031
【図３０】
2010284263.tif 000032
【図３１】
2010284263.tif 000033
【図３２】
2010284263.tif 000034
【図３３】
2010284263.tif 000035